(57)【要約】【課題】作業対象箇所の必要な範囲を、遠い部位も近い部位も同時に明るく照射する。【解決手段】照明ライト７を備えたライト付き電動工具において、照明ライト７を、２個の発光手段７a、７ｂによって構成し、一方の発光手段７ａによって近い作業部位を照らし、他方の発光手段７ｂによって遠い作業部位を同時に照らす。特に、２個の発光手段は左右に同じ角度で設けられ、発光手段の前部に設けられた透明なカバー１１の上記各発光手段に対応する部位の屈折角を変えて近い作業部位と遠い作業部位を同時に照らす。【選択図】図４
2008173698.tif 000002
【特許請求の範囲】
【請求項１】
駆動用モータと回転駆動伝達部と先端工具取付部とを備えた工具本体と、該工具本体の下方に設けられたグリップと、該グリップの下部に設けられた電源バッテリの取付部とを備えるとともに、上記電源バッテリの取付部に上記先端工具による作業部位を照射する照明ライトを設けたライト付き電動工具において、
上記照明ライトを、その取付位置から近い作業部位を照射する発光手段と、遠い作業部位を照射する第２の発光手段とによって構成し、第１の発光手段と第２の発光手段とを同じ位置に設けるとともに、近い作業部位と遠い作業部位とを同時に照射させる
ことを特徴とするライト付き電動工具。
【請求項２】
上記２個の発光手段は左右に同じ角度で設けられ、発光手段の前部に設けられた透明なカバーの、上記各発光手段に対応する部位の屈折角を変えて近い作業部位と遠い作業部位を同時に照らすことを特徴とする、請求項１に記載のライト付き電動工具。
【請求項３】
上記２個の発光手段のうち、遠い作業部位を照らす発光手段に対応する一方の発光手段に対応する部位の透明カバーの前端には、上記発光手段から発光された照射光を絞るレンズ部を形成したことを特徴とする、請求項１に記載のライト付き電動工具。
【請求項４】
上記照明ライトを、２個の発光手段に代えて、１個の発光手段とし、この発光手段の前方に設けた透明カバーの一部の屈折角を変えて近い作業部位と遠い作業部位を同時に照らすことを特徴とする、請求項１に記載のライト付き電動工具。
【請求項５】
上記透明カバーの遠い作業部位を同時に照らす方の部分には、上記発光手段から発光された照射光を絞るレンズ部を形成した
ことを特徴とする、請求項４に記載のライト付き電動工具。
【発明の詳細な説明】
【技術分野】
【０００１】
本発明は電動工具に設けられた照明ライトの改良技術に関する。
【背景技術】
【０００２】
従来から、暗い場所での作業を容易に行うために、作業対象箇所を照らす照明ライトを備えた電動工具が知られており、この電動工具においては、例えばインパクトドライバの場合は、ハンマケースの直近に配置されているものもあるが、制御基板を備えたインパクトドライバにおいては、多くは制御基板をバッテリの上面部に配置している。このため、コストや組み付け性の点からはライトを制御基板上に置く方が好ましい。
【０００３】
ところで、上記の照明ライト取付け位置では、ドライバビットのような先端工具によって作業するための作業部位に対する照射範囲が大きくなってしまう。つまり、照明ライトを工具本体の先端の、先端工具の近傍に配置する場合は、照明ライトの照射方向は、先端工具の軸の延長上にすればよいので、照射範囲を一定範囲に絞ることができる。しかし、電源バッテリは工具本体の下部のグリップ部のさらにその下端に取り付けられているから、その上面部の制御基板上に照明ライトを取付けるときは、先端工具の軸の横から照射するような状態になる。このため、例えば短いビットや短いネジを使用する場合の作業部位は照明ライトの位置から近いが、長いビットや長いネジを使用する場合の作業部位は照明ライトの位置から遠くなる。したがって、２つの作業部位を同時に照射するためには、照射範囲を広くする必要がある。しかし、照射範囲を単純に広げると、照射された部分は大きな円になるので、不要な部分まで照らす無駄があるとともに、照明ライトの照射方向は作業部位から近くも遠くもない半端な位置に向けなければならないから、遠い作業部位は暗くなってしまい、必要な作業対象箇所で十分な明るさが得られない。
【０００４】
そこで、このような無駄を省き、必要な部分だけを集中して照射するため、照明ライトの角度を、作業対象箇所の距離に従って、遠い部位と近い部位に応じて手動で切り替えるものも知られている（特許文献１、２参照）。これによれば、ビットやネジの長短などに合わせて角度を切り替えるだけであり、照射範囲を広くする必要がないので、作業対象箇所が暗くなってしまうという問題はない。
【特許文献１】特開２００３−２４５８７５
【特許文献２】特開２００３−２１１３７４
【発明の開示】
【発明が解決しようとする課題】
【０００５】
しかしながら、ビットや釘の種類に応じてライトの角度を変えるということになると、作業に合わせてその都度作業者が手で角度を調整する必要があり、取り扱いが面倒で操作性に問題があった。
【０００６】
本発明は、上述の問題点を解消し、照明ライトによる照射範囲を縦長にすることにより、作業対象箇所の必要な範囲を、遠い部位も近い部位も同時に明るく照射することができるライト付き電動工具を提供することをその課題とする。
【課題を解決するための手段】
【０００７】
上記課題を解決するため、本発明の請求項１に係る発明は、駆動用モータと回転駆動伝達部と先端工具取付部とを備えた工具本体と、該工具本体の下方に設けられたグリップと、該グリップの下部に設けられた電源バッテリの取付部とを備えるとともに、上記電源バッテリの取付部に上記先端工具による作業部位を照射する照明ライトを設けたライト付き電動工具において、上記照明ライトを、その取付位置から近い作業部位を照射する発光手段と、遠い作業部位を照射する第２の発光手段とによって構成し、第１の発光手段と第２の発光手段とを同じ位置に設けるとともに、近い作業部位と遠い作業部位とを同時に照射させることを特徴とする。
【０００８】
請求項２に係る発明は、請求項１において、上記２個の発光手段は左右に同じ角度で設けられ、発光手段の前部に設けられた透明なカバーの上記各発光手段に対応する部位の屈折角を変えて近い作業部位と遠い作業部位を同時に照らすことを特徴とする。
【０００９】
請求項３に係る発明は、請求項１において、上記２個の発光手段のうち、遠い作業部位を照らす発光手段に対応する一方の発光手段に対応する部位の透明カバーの前端には、上記発光手段から発光された照射光を絞るレンズ部を形成したことを特徴とする。
【００１０】
請求項４に係る発明は、請求項１において、上記照明ライトを、２個の発光手段に代えて、１個の発光手段とし、この発光手段の前方に設けた透明カバーの一部の屈折角を変えて近い作業部位と遠い作業部位を同時に照らすことを特徴とする。
【００１１】
請求項５に係る発明は、請求項４において、上記透明カバーの遠い作業部位を同時に照らす方の部分には、上記発光手段から発光された照射光を絞るレンズ部を形成したことを特徴とする。
【発明の効果】
【００１２】
請求項１に係る発明によれば、照明ライトを、その取付位置から近い作業部位を照射する発光手段と、遠い作業部位を照射する第２の発光手段とによって構成し、第１の発光手段と第２の発光手段とを同じ位置に設けるとともに、近い作業部位と遠い作業部位とを同時に照射させる構成により、遠い部位も近い部位も同時に明るく照射することができ、ビットやネジの長短などに合わせて照明ライトの角度を切り替えるという面倒な操作が必要ない。また、１箇所に集中的に配置したから組立ても容易である。したがって、取り扱いが簡単で、組立性、作業性が向上する。
【００１３】
請求項２に係る発明によれば、上記２個の発光手段は左右に同じ角度で設けられ、発光手段の前部に設けられた透明なカバーは、上記各発光手段に対応する部位の屈折角を変えて近い作業部位と遠い作業部位を同時に照らす構成であるから、２個の発光手段の取り付けが楽であり、取り付けスペースも小さくて済む。
【００１４】
請求項３に係る発明によれば、上記２個の発光手段のうち、遠い作業部位を照らす発光手段に対応する一方の発光手段に対応する部位の透明カバーの前端には、上記発光手段から発光された照射光を絞るレンズ部を形成したので、遠い作業部位を照らす光は拡散せずに必要な作業部位を明るく照射することができる。
【００１５】
請求項４に係る発明によれば、上記照明ライトを１個の発光手段とし、この発光手段の前方に設けた透明カバーの一部の屈折角を変えて近い作業部位と遠い作業部位を同時に照らすようにしたから、１個の発光手段でも照射範囲を縦長にして、作業対象箇所の必要な範囲を、遠い部位も近い部位も同時に明るく照射することができる。
【００１６】
請求項５に係る発明によれば、さらに、透明カバーの遠い作業部位を同時に照らす方の部分には、上記発光手段から発光された照射光を絞るレンズ部を形成したから、遠い作業部位を照らす光は拡散せずに必要な作業部位を明るく照射することができる。
【発明を実施するための最良の形態】
【００１７】
図１（ａ）（ｂ）は、それぞれ本発明に係る電動インパクトドライバの側面図を示す。電動インパクトドライバは、図示しないが、工具本体１の後部に電動モータを収納し、前部に回転駆動部と駆動伝達部を介してドライバビット（先端工具）２ａ又は２ｂを回転自在に設けたもので、回転駆動部にはドライバビット２を回転させるとともに連続的に打撃する機構が設けられている。また、工具本体１の下部にはグリップ部３が設けられ、さらにグリップ部３の下部には電源バッテリの取付ベース４が形成され、該取付ベース４には電源バッテリ５が着脱自在に設けられている。
【００１８】
グリップ部３の上端部には起動用トリガレバー６が設けられ、また図示しないスイッチにより、トリガレバー６の操作によりモータが駆動しているときは照明ライト７が点灯されるように構成されている。
【００１９】
上記照明ライト７は電源バッテリ５の取付ベース４に設けられた制御基板８（図２（ａ）（ｂ）、図３参照）の上部に設けられている。照明ライト７は２個の発光ダイオード（発光手段）７ａ、７ｂによって構成され、これらの２個の発光ダイオード７ａ、７ｂのうち、一方の第１の発光ダイオード７ａは、その取付位置から短いドライバビット（又は釘）２ａを使用した場合等に必要な近い作業部位Ａを照らす方の発光手段であり、他方の第２の発光ダイオード７ｂは、長いドライバビット（又は釘）２ｂを使用した場合等に必要な遠い作業部位Ｂを照らす方の発光手段であるが、発光ダイオードとしては同じ高輝度発光のものが使用されている。
【００２０】
上記第１の発光ダイオード７ａと第２の発光ダイオード７ｂは、制御基板８に固定された一体のケース（カバー兼用）１１の左右に同じ角度で同じ方向を照射するように収納されている。つまり、上記ケース１１は制御基板８の上面に一定の角度で取りつけられ、通常の場合には第１と第２の発光ダイオード７ａ、７ｂが、主に近い作業部位を照射するように取り付けられている。
【００２１】
次に、図３及び図４（ａ）（ｂ）に示されるように、第１と第２の発光ダイオード７ａ、７ｂの前部には、ガラス又は透明な合成樹脂から構成されたカバー１１が取り付けられ、第１と第２の発光ダイオード７ａ、７ｂから出た光は上記カバー１１を通過して外部に照射するようになっている。上記カバー１１は上記第１と第２の発光ダイオード７ａ、７ｂに対応する部位においてそれぞれから出た光の屈折角を変えるようになっている。すなわち、第１の発光ダイオード７ａに対応する部位ではカバー部１１ａの厚さは均一になっているが、第２の発光ダイオード７ｂに対応する部位ではカバー部１１ｂの厚さは、図の上側（近い作業部位に対応する側）よりも、図の下側（遠い作業部位に対応する側）の方が肉厚になっている。これにより、第２の発光ダイオード７ｂから出た光はカバー部１１ｂを通過したときに中心軸が角度θだけ屈折し、そのプリズム効果によって第２の発光ダイオード７ｂの照射方向が遠い作業部位を向くようになっている。
【００２２】
上記構成によれば、発光ダイオードの前部に設けられた透明なカバー部１１ａ、１１ｂは、第１と第２の発光ダイオード７ａ、７ｂに対応する部位でその屈折角を変えることにより、第１と第２の発光ダイオード７ａ、７ｂによる照射範囲は全体として円形にならず、縦長になるから、作業対象箇所の必要な範囲を、近い部位Ａも遠い部位Ｂも同時に照射することができる。このため、ビットやネジの長短などに合わせて発光ダイオードの照射角度をいちいち切り替える必要がない。したがって、取り扱いが簡単で、作業性も向上する。
【００２３】
また、上記左右２個の発光ダイオード７ａ、７ｂは同じ角度で設けられているから、その取り付けや組立作業が楽であり、取り付けスペースも小さくて済む。
【００２４】
なお、第２の発光ダイオード７ｂに対応する部位のカバー部１１ｂの前端には、図１（ａ）（ｂ）及び図４（ｂ）に示されるように、第２の発光ダイオード７ｂから発光された照射光を絞るレンズ部１２を形成するのが好ましい。これによれば、近い作業部位Ａに対する照射角度をαとすると、遠い作業部位を照らす光は拡散せず、その照射角度βは、上記角度αよりも小さくなるので、必要な作業部位を明るく照射することができる。作業対象箇所の必要な範囲を、遠い作業部位Ｂも近い作業部位Ａも同時に明るく照射することができる。
【００２５】
また、上述の形態とは逆に、第１と第２の発光ダイオードを、主に遠い作業部位を照射する角度で取りつけ、第１の発光ダイオードに対応するカバー部を偏肉にして近い作業部位を照らすように屈折角を変え、第２の発光ダイオード７ｂに対応する部位のカバー部にレンズ部を形成する構成にしてもよい。
【００２６】
さらに、第１の発光ダイオード７ａと第２の発光ダイオード７ｂは、同じ角度ではなく、それぞれ近い作業部位と遠い作業部位を照射する角度に設けられていてもよい。この場合も、透明カバー１１には、第２の発光ダイオード７ｂに対応する部位のカバー部の前端にレンズ部を形成して遠い作業部位を明るく照射するのがよい。
【００２７】
さらにまた、図５に示されるように、照明ライトを２個の発光ダイオードでなく１個の発光ダイオード７ｃによって構成し、この発光ダイオード７ｃの前方に設けた透明カバー１１の一部１１ｂの屈折角を変えて近い作業部位と遠い作業部位を同時に照らすようにしてもよい。
【００２８】
この場合も、上記透明カバー１１の遠い作業部位を同時に照らす方の部分には、上記発光ダイオード７ｃから発光された照射光を絞るレンズ部１２を形成するのが好ましい。
【００２９】
上記構成によれば、１個の発光ダイオード７ｃでも照射範囲を縦長にして、作業対象箇所の必要な範囲を、遠い部位も近い部位も同時に明るく照射することができる。
【００３０】
また、透明カバー１１の遠い作業部位を同時に照らす方の部分には、上記発光手段から発光された照射光を絞るレンズ部１２ａを形成したから、遠い作業部位を照らす光は拡散せずに必要な作業部位を明るく照射することができる。
【００３１】
なお、ライト付き電動工具はインパクトドライバに限定されない。電動ドリル、電動ドライバのような電動工具にも適用することができる。
【図面の簡単な説明】
【００３２】
【図１】（ａ）（ｂ）は本発明のインパクトドライバの側面図
【図２】（ａ）は発光ダイオードを取りつけた制御基板の側面図、（ｂ）は（ａ）のＸ−Ｘ線上の断面図
【図３】上記制御基板の平面図
【図４】（ａ）（ｂ）はそれぞれ図３のＹ−Ｙ線及びＺ−Ｚ線上の拡大断面図
【図５】別の実施形態の縦断面図
【符号の説明】
【００３３】
１          工具本体
７          照明ライト
７ａ、７ｂ  発光手段
１１        透明カバー
１２        レンズ部
【図１】
2008173698.tif 000003
【図２】
2008173698.tif 000004
【図３】
2008173698.tif 000005
【図４】
2008173698.tif 000006
【図５】
2008173698.tif 000007